(57)【特許請求の範囲】
【請求項１】
幼苗の茎に沿うように養土に植立される支柱と、一端側において前記支柱に相対上下動自在に支持される支持部を有し他端側において前記幼苗の茎を弾性的に把持する把持部を有する弾性合成樹脂製の引き止め部材とを具備し、
前記支柱は、合成樹脂で一体成形され、棒状の本体と、本体の下部に位置する鍔部と、本体の鍔部より下方に位置する突き刺し部と、前記本体の上端部に連続し屈折して側方へ延びる摘み片と、摘み片の先端に連続し屈折して下方へ延びる抜け止め片とを具備し、
前記引き止め部材の支持部は、前記支柱の抜け止め片、摘み片を経て本体まで移動でき、かつ前記鍔部で停止しうるよう支柱へ外挿可能なリング状に形成されることを特徴とする幼苗の自立支持具。
【請求項２】
前記引き止め部材は、弾性プラスチックで一体成形され、前記支柱を自在に挿通させるリング状の支持部と、この支持部から半径方向外側に延出する連結部と、この連結部の先端に基端が連続し基端と先端との間に上下方向の割れ目を有する環状の把持部と、この把持部の先端付近の外周から半径方向外側に延出する操作突片とを具備し、
前記操作突片に指を掛けて割れ目を開き、把持部内に幼苗の茎を受け入れ、把持することで幼苗を前記支柱に支持可能としたことを特徴とする請求項１に記載の幼苗の自立支持具。
【発明の詳細な説明】
【技術分野】
【０００１】
本発明は、幼苗が転倒したり、折れたりしないように、自立を補助する支持具に関する。
【背景技術】
【０００２】
野菜など植物の幼苗が、灌水の衝撃や接ぎ木用クリップの重みなどにより、転倒したり、折れたりしないように、自立を補助する支持具が知られている(例えば、特許文献１参照)。この自立支持具は、地面に刺し立てる支柱の上端部に苗の茎の収容部を設けたものである。茎の収容部は、支柱の上端部から前向きに設けられる一対の水平腕を有する。水平腕の各前端部から収容部の内部に向かって折返し状に弾性片が一体に設けられる。弾性片は、収容部の前端を弾性的にせばめように構成される。
【先行技術文献】
【特許文献】
【０００３】
【特許文献１】特開２０００−３２８５１号公報
【発明の概要】
【発明が解決しようとする課題】
【０００４】
上記従来の幼苗の自立支持具においては、茎丈が上方へ伸びても、茎の収容部が支柱に固定されているため、茎の伸長に追従できない。このため、茎の伸長に応じて適宜支柱を変えて、茎の収容部を上方へ移動する必要がある。また、茎を一対の水平腕の導入部に向かって押付けることにより、収容部に押し入れる必要があるため、茎が無理な押し込みにより傷ついたり、細い茎が収容部から抜け出てしまったりする難点がある。
したがって、本発明は、茎丈の伸長に支持部の位置を追従させることができ、また、茎を傷つけることなく容易かつ確実に収容部に保持することができる幼苗の自立支持具を提供することを目的としている。
【課題を解決するための手段】
【０００５】
以下、添付図面の符号を参照して説明するが、本発明はこれに限定されるものではない。
上記課題を解決するための、本発明の幼苗の自立支持具１は、幼苗Ｐの茎に沿うように養土Ｓに植立される支柱２と、一端側において支柱２に相対上下動自在に支持される引き止め部材３とを具備する。支柱２は、合成樹脂で一体成形され、棒状の本体４と、本体４の下部に位置する鍔部５と、鍔部５より下方に位置する突き刺し部６と、上端部の摘み片７と抜け止め片８とを具備する。摘み片７は、本体４の上端部に連続し、屈折して側方へ延びる。抜け止め片８は、摘み部７の先端に連続し、屈折して下方へ延びる。引き止め部材３は、弾性合成樹脂製で、一端側に支柱２を自在に貫通させるリング状の支持部９を有し、他端側に幼苗Ｐの茎を弾性的に把持する把持部１０を有する。リング状の支持部９は、支柱２の抜け止め片８、摘み片７を経て本体４まで移動でき、かつ鍔部５で停止しうるように、支柱２へ外挿される。
【発明の効果】
【０００６】
本発明の自立支持具によれば、茎丈の伸長に引き止め部材の位置を追従させることができ、また、茎を傷つけることなく容易かつ確実に引き止め部材の把持部に保持することができる。引き止め部材を茎へ装着する作業は、指先による細かな作業であって、時に引き止め部材が指先から離れてしまいやすい、そのような場合でも鍔部で停止して養土面まで落ちることがないので、作業を効率的に行える。支柱に抜け止め片、摘み片があるので、あらかじめ支柱に装着された引き止め部材が、実際の使用に至る前の移動時に抜け落ちて支柱と分離してしまう不都合が生じない。
【図面の簡単な説明】
【０００７】
【図１】本発明に係る自立支持具の使用状態の説明図である。
【図２】図１の自立支持具の正面図である。
【図３】図１の自立支持具における支柱の正面図である。
【図４】図１の自立支持具における引き止め部材の斜視図である。
【発明を実施するための形態】
【０００８】
図面を参照して本発明の実施の形態を説明する。
自立支持具１は、幼苗Ｐの茎に沿うように養土Ｓに植立される支柱２と、一端側において支柱２に相対上下動自在に支持される引き止め部材３とを具備する。
【０００９】
支柱２は、合成樹脂で一体成形され、棒状の本体４と、本体４の下部に位置する鍔部５と、鍔部５より下部に位置する突き刺し部６と、上端部の摘み片７および抜け止め片８とを具備する。突き刺し部６が養土に差し込まれ、鍔部５は養土の上方に間隔を置いた位置に配置される。
【００１０】
摘み片７は、本体４の上端部に連続する棒状で、本体４の上端からほぼ直角に屈折して側方へ延びる。
【００１１】
抜け止め片８は、摘み部７の先端に連続する棒状で、先端から屈折して下方へ延びる。
【００１２】
引き止め部材３は、エチレン−酢酸ビニル共重合樹脂のような弾性合成樹脂製で、一端側に支柱２を自在に貫通させるリング状の支持部９を有し、連結部１１を介して、他端側に幼苗Ｐの茎を弾性的に把持する把持部１０を有する。支持部９は、抜け止め片８、摘み片７を経て本体４まで移動でき、かつ鍔部５で停止しうる内径を持ち、支柱２へ外挿される。
【００１３】
把持部１０は、割れ目１２を有する環状で、基端部１０ａが、連結部１１の先端部１１ｂに連続する。把持部１０の基端部１０ａと先端部１０ｂとの間に上下方向の割れ目１２を有する。把持部１０の先端付近の外周から半径方向に操作突片１０ｃが延出する。
【００１４】
連結部１１は、支持部９の外周から半径方向に延出し、支持部９の縦幅寸法と同一の縦幅寸法で板状の基端部１１ａと、基端部から徐々に幅寸法が縮小する板状の先端部１１ｂとを有する。
【００１５】
使用に当たっては、図２に示すように、支柱２に引き止め部材３を装着した状態で、図１に示すように、幼苗Ｐの傍らの養土Ｓに突き刺し部６を刺し、幼苗Ｐに沿って支柱２を立てる。支柱２上で引き止め部材３の位置を調整し、把持部６を幼苗Ｐの茎に向け、操作突片１０ｃに指を掛け、把持部１０の湾曲を伸ばすように変形させて割れ目１２を大きく開き、把持部１０の内側に幼苗Ｐの茎を受け入れる。引き延ばした把持部１０の内周に茎を接触させた状態で、操作突片１０ｃから指を離すと、把持部１０が環状に復元して、適度の把持力で茎を把持する。この作業中に引き止め部材３が、それを保持する指先から離れても、支柱２の鍔部５で停止し、養土面上に落ちることはないから、容易に取り戻して作業を続けることができる。
【００１６】
その後、苗が生長して把持部分が上方へ移動すると、支持部９が支柱２に対して上方へ無理なく移動して、これに追従する。したがって、長期にわたり支持具の取り替えが不要である。支柱２に抜け止め片８、摘み片７があるので、あらかじめ支柱２に装着された引き止め部材３が、使用現場への移動時に抜け落ちて支柱２と分離してしまう不都合が生じない。
【符号の説明】
【００１７】
１    自立支持具
２    支柱
３    引き止め部材
４    支柱本体
５    鍔部
６    突き刺し部
７    摘み片
８    抜け止め片
９    支持部
１０  把持部
１０ａ  基端部
１０ｂ  先端部
１０ｃ  操作突片
１１  連結部
１１ａ  基端部
１１ｂ  先端部
１２  割れ目
Ｐ    幼苗
Ｓ    養土
【図１】
0005497823.tif 000002
【図２】
0005497823.tif 000003
【図３】
0005497823.tif 000004
【図４】
0005497823.tif 000005